(57)【要約】【課題】  表示部に表示される患者氏名などの個人情報を確実に保護することができるようにすることを目的とする。【解決手段】  制御部２は、患者の氏名などの個人情報に関連付けて記憶部４に記憶された代替情報の中から選択部５により選択された情報を抽出し、表示制御部６は、抽出された代替情報を個人情報の代わりに表示部７に表示するようにしているので、患者の個人情報の代わりに患者を識別するための代替情報が表示部７に表示されるので、医療従事者が患者を識別することができると共に、患者の個人情報を確実に保護することができる。【選択図】        図１
2007268021.tif 000002
【特許請求の範囲】
【請求項１】
患者の個人情報に関連付けて他の患者情報を記憶する記憶部と、
前記記憶部に記憶された他の患者情報の中から表示すべき患者情報を選択する選択部と、
患者情報を表示する表示部と、
前記個人情報の代わりに前記選択部により選択された患者情報を前記表示部に表示させる表示制御部と、
を備えた患者情報表示装置。
【請求項２】
前記選択部により選択された患者情報は、前記患者の氏名のイニシャル、前記患者のニックネーム、前記患者の部屋番号、前記患者のベッド番号、前記患者を識別するための識別番号の何れかであることを特徴とする請求項１に記載の患者情報表示装置。
【発明の詳細な説明】
【技術分野】
【０００１】
本発明は、病院や介護施設などで患者や被介護者からの要求に応じて看護師や介護者を呼び出すナースコールシステムにおいて、患者情報を表示する患者情報表示装置に関する。
【背景技術】
【０００２】
従来、病院などの施設では、看護師などの医療従事者と患者とが呼び出し及び通話を行うためのナースコールシステムが設置されている。このナースコールシステムでは、患者の近辺（例えば、ベッド近傍など）に設置されたナースコール子機及び医療従事者の居る部屋などに設置されたナースコール親機を有線や無線などにより接続している。また、ナースコール子機とナースコール親機との間には、患者情報を表示するための廊下灯が接続されている。
【０００３】
ここで、廊下灯は、病室などの部屋の壁面に取り付けられている。また、廊下灯に表示される患者情報としては、病室の番号や患者の氏名などがある。また、廊下灯は、ナースコール親機と連動しており、ベッド近傍に設置されたナースコール子機により患者が呼び出しを行うと、ナースコール子機は、ナースコール親機や医療従事者が携帯する無線端末装置（一般的には、ナースコール副親機と呼ばれる）に呼び出しを通知すると共に、廊下灯を点灯させる。また、医療従事者は、廊下灯の点灯によって、呼び出しを行った患者や被介護者が居る部屋を特定することができる。
【０００４】
ところで、タッチパネル付きの液晶ディスプレイにより廊下灯の表示部を構成し、タッチパネルをタッチしたときに患者氏名などの患者情報を一定時間表示する技術が知られている（例えば、特許文献１など）。
【特許文献１】特開平１０−１９２３４９号公報
【０００５】
また、医療従事者が携帯するＩＤ（Ｉｄｅｎｔｉｔｙ）カードに記憶されているＩＤ番号を読み出したときに、ＩＤ番号に基づく患者情報を病院用情報表示板に表示する技術が知られている（例えば、特許文献２など）。
【特許文献２】特開２００３−８８５６１号公報
【０００６】
しかしながら、これら特許文献１及び特許文献２に記載の技術では、患者氏名などの個人情報が表示されてしまうため、個人情報を確実に保護することができないという問題点があった。
【発明の開示】
【発明が解決しようとする課題】
【０００７】
本発明は、このような問題を解決するために成されたものであり、液晶廊下灯などの表示部に表示される患者氏名などの個人情報を確実に保護することができるようにすることを目的とする。
【課題を解決するための手段】
【０００８】
上述した課題を解決するために、本発明では、患者の個人情報に関連付けて記憶された他の患者情報の中から患者を識別可能な代替情報を選択し、個人情報の代わりに表示部に表示するようにしている。
【発明の効果】
【０００９】
上記のように構成した本発明によれば、患者の個人情報の代わりに患者を識別するための情報が表示部に表示されるので、医療従事者が患者を識別することができると共に、患者の個人情報を保護することができる。
【発明を実施するための最良の形態】
【００１０】
以下、本発明の一実施形態を図面に基づいて説明する。図１は、本実施形態による患者情報表示装置の構成例を示すブロック図である。図１に示すように、本実施形態による患者情報表示装置１は、制御部２、患者情報入力部３、記憶部４、選択部５、表示制御部６、表示部７を備えて構成されている。ここで、患者情報表示装置１は、ナースコールシステムを構成する廊下灯である。
【００１１】
患者情報表示装置１は、患者が在室する部屋（以下、病室と記載する）毎に設けられており、伝送線を介して図示しないナースコール親機に接続されている。ここで、複数の患者情報表示装置１が一つのナースコール親機に対して接続されている。また、患者情報表示装置１には、図示しない複数のナースコール子機が接続されている（ナースコール子機は、病室内のベッドの数などに応じた数だけ病室内に存在する）。
【００１２】
図１において、制御部２は、患者情報表示装置１の各構成要素を制御する。患者情報入力部３は、患者情報表示装置１が設置された病室内に居る患者の患者情報を入力する。ここで、患者情報入力部３は、キーボードなどの文字入力装置により構成されており、医療従事者が患者情報を文字入力する際に用いられる。なお、患者情報がナースコール親機などの他の機器に記憶されている場合に、それらの機器から患者情報を入力するようにしても良い。これにより、患者情報入力部３による患者情報の入力が不要となる。
【００１３】
また、患者情報としては、患者の氏名や生年月日、住所、連絡先などの個人情報と、患者の年齢、血液型、身長、体重病歴、病名、アレルギー症の有無、担当医師、担当看護師、救護区分（担送、護送、独歩）などの医療情報、患者の氏名のイニシャルや患者が居る病室の番号、患者のベッド番号、患者を識別するための識別番号などの識別情報とを含む。ここで、救護区分の担送とは、担架などにより移送しなければならない患者を示す。また、救護区分の護送とは、車いすや介助歩行などで移動できる患者を示す。また、救護区分の独歩とは、自力で歩行して移動できる患者を示す。
【００１４】
記憶部４は、患者情報入力部３によって入力された患者情報を記憶する。ここで、記憶部４に記憶される患者情報は、同じ患者の患者情報について関連付けされている。選択部５は、個人情報である患者の氏名に代わって表示する代替情報を記憶部４に記憶された識別情報の中から選択する。なお、患者情報表示装置１と接続されたナースコール親機に選択部５を設け、ナースコール親機により代替情報の選択を行うようにしても良い。
【００１５】
表示制御部６は、記憶部４に記憶されている医療情報及び識別情報の中から抽出された情報に基づいて表示画像を生成し表示部７に表示する。また、表示制御部６は、選択部５により選択された識別情報を患者の個人情報の代わりにして表示画像を生成し表示部７に表示する。表示部７は、液晶パネルなどにより構成されており、表示制御部６にて生成された表示画像を表示する。
【００１６】
制御部２は、患者情報入力部３によって入力された患者情報を、同じ患者の患者情報について関連付けて記憶部４に記憶する。また、制御部２は、選択部５によって選択された代替情報を記憶部４から抽出し、表示制御部６に出力する。
【００１７】
次に、本実施形態による患者情報表示装置１の表示画面の例を説明する。例えば、病室内のベッド数が４床である場合、表示画面をベッド数で分割し、図２に示すような表示画面が表示制御部６により生成される。ここで、個人情報である患者の氏名の表示を患者などが許可した場合には、表示制御部６は、図２（Ａ）に示すように表示画面のそれぞれの領域に患者氏名を表示させる。一方、個人情報である患者の氏名の表示を患者などが許可しなかった場合には、表示制御部６は、図２（Ｂ）に示すように表示画面のそれぞれの領域に患者氏名に代わる代替情報を表示させる。具体的には、患者の氏名を示すイニシャル、患者のニックネーム、患者のベッド番号、患者の識別番号などである。ここで、これらの代替情報は、医療従事者にとって患者を識別可能な情報である。
【００１８】
なお、病室内のベッド数が１床、つまり個室である場合には、表示制御部６は、図３（Ｂ）に示すように代替情報として部屋番号を表示するようにしても良い。このような場合でも、個人情報である患者の氏名の表示を患者などが許可した場合には、表示制御部６は、図３（Ａ）に示すように患者氏名を表示させる。
【００１９】
以上詳しく説明したように、本実施形態によれば、制御部２は、患者の氏名などの個人情報に関連付けて記憶部４に記憶された代替情報の中から選択部５により選択された情報を抽出し、表示制御部６は、抽出された代替情報を個人情報の代わりに表示部７に表示するようにしている。これにより、患者の個人情報の代わりに患者を識別するための代替情報が表示部７に表示されるので、医療従事者が患者を識別することができると共に、患者の個人情報を確実に保護することができる。
【００２０】
なお、前述した実施形態では、個人情報である患者の氏名の表示を患者などが許可しなかった場合には、表示制御部６は、代替情報を患者氏名の代わりに表示するようにしているが、これに限定されない。例えば、緊急の呼び出しが行われた場合などに、表示制御部６は、患者氏名をそのまま表示部７に表示するようにしても良い。これにより、緊急時などでは、患者氏名が表示されるので、医療従事者は、患者を確実に識別することができる。
【００２１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２２】
本発明は、病院や介護施設などで患者や被介護者からの要求に応じて看護師や介護者を呼び出すナースコールシステムを構成する廊下灯などに有用である。
【図面の簡単な説明】
【００２３】
【図１】本実施形態による患者情報表示装置の構成例を示すブロック図である。
【図２】本実施形態による患者情報表示装置の表示画面の一例を示す図である。
【図３】本実施形態による患者情報表示装置の表示画面の他の例を示す図である。
【符号の説明】
【００２４】
１    患者情報表示装置
２    制御部
３    患者情報入力部
４    記憶部
５    選択部
６    表示制御部
７    表示部
【図１】
2007268021.tif 000003
【図２】
2007268021.tif 000004
【図３】
2007268021.tif 000005